(57)【要約】【課題】本発明は、貯留部材を配設して形成される雨水貯留浸透施設にかかる水平土圧を受ける新規な方法を提案するものである。【解決手段】貯留ブロックを地下空間に組み立て、その周囲をシートで覆い貯留空間とする貯留槽あるいは浸透槽において、前記貯留空間の周辺部の貯留ブロック部を貯留空間の基底から立ち上がる強度を有する材料で構成された通路と置き換え、当該通路をもって槽に加わる水平土圧を受けることを特徴とする貯留槽もしくは浸透槽である。槽の下層部を通路とすることで施設にかかる水平土圧を受けている。通路を泥だめ部あるいは点検用として使用する。【選択図】図1
2007169938.tif 000002
【特許請求の範囲】
【請求項１】
貯留部材を地下空間に組み立て、その周囲をシートで覆い貯留空間とする雨水貯留浸透施設において、前記貯留空間の周辺部の貯留部材を貯留空間の基底から立ち上がる強度ある材料で構成された通路と置き換え、当該通路をもって槽に加わる水平土圧を受けることを特徴とする雨水貯留浸透施設。
【請求項２】
請求項１記載の貯留槽もしくは浸透槽において、前記通路に流入口および排出口を設け、流入口は外部からの受け入れ、排出口は槽内への流入口とし、通路を沈砂部としたことを特徴とする請求項１記載の雨水貯留浸透施設。
【請求項３】
請求項１記載の雨水貯留浸透施設において、前記通路の槽側の壁面に槽内点検用の孔を設けたことを特徴とする請求項１記載の雨水貯留浸透施設。
【発明の詳細な説明】
【技術分野】
【０００１】
本発明は、地下式雨水貯留浸透施設にかかる水平土圧の軽減方法に関する技術に属する。
【背景技術】
【０００２】
雨水の流出抑制を目的として、プラスチックなどで製造された容器状あるいはテーブル状部材その他の貯留部材を地下に配置し、貯留空間を確保して雨水を一時的に貯留する貯留浸透施設が普及している。この目的のために各種の形状の貯留部材が、例えば特開昭62-101097、特開昭62-126179、特開平9-296486、特開平11-43971、特開平10-115778、特開平10-252108などに提案かつ使用されている。これらの一例を図７に示した。いずれの方法も部材を配置し、使用する部材の形状に応じて必要な継ぎ手などで連結し、その周囲を透水性もしくは遮水性のシート類で包み、流入管、溢流管、泥だめ枡、オリフィス枡などの付帯設備を設け、その内部空間に雨水を貯蔵する貯留浸透施設とするものである。
雨水の流出抑制を目的とするためには、地下水位が低い場合は透水性のシートで包み、貯留された雨水を徐々に地下に浸透させ、地下水位が高い場合は地下水が内部に入らないように遮水性のシートで包み、槽内に雨水を受け入れた後、徐々に下水あるいは河川に放流することが行われている。これら部材は、また軽量盛土材その他としての用途が提案されている。
これら貯留部材を使用する槽は、内部点検、あるいは雨水以外の下水を貯留する場合等内部清掃に問題のある場合がある。特開2004-092334に開示したように、これら貯留浸透施設の内部点検を目的とし、貯留空間内部に点検用通路を設ける提案もある。また、特開2001-090167に開示した図５に示すような清掃用として下部に泥だめ用の空間を設けたものも提案している。
【０００３】
これら部材は通常の用途に対し十分に使用に耐えるものであるが、一般的にその水平方向の強度は鉛直強度に比べ低い傾向がある。埋設深度が高い場所などに設置するには水平方向から掛かる土圧に対し不十分な場合がある。特開2000-326722、特開2000-381582には、水平土圧を軽減するため槽の側面に底部に向かって狭くなるように傾斜を設ける、あるいは特開平10-252108に開示されたタイプの槽においては水平補強材を追加するなどの方法がある。しかしながら水平補強材を用いる方法は上記全ての部材に適用できるものではない。
【特許文献１】特開昭62-101097
【特許文献２】特開昭62-126179
【特許文献３】特開平9-296486
【特許文献４】特開平11-43971
【特許文献５】特開平10-115778
【特許文献６】特開平10-252108
【特許文献７】特開2000-326722
【特許文献８】特開2000-381582
【特許文献９】特開2004-092334
【特許文献１０】特開2001-090167
【発明の開示】
【発明が解決しようとする課題】
【０００４】
本発明は、貯留部材を配設して形成される雨水貯留浸透施設にかかる水平土圧を受ける新規な方法を提案するものである。
【課題を解決するための手段】
【０００５】
本第1の発明は、貯留部材を地下空間に組み立て、その周囲をシートで覆い貯留空間とする雨水貯留浸透施設において、前記貯留空間の周辺部の貯留ブロック部を貯留空間の基底から立ち上がる通路と置き換え、当該通路をもって槽に加わる水平土圧を受ける雨水貯留浸透施設である。施設の下層部を通路とすることで、通路で施設にかかる水平土圧を受けている。
本第2の発明は、上記の雨水貯留浸透施設において、前記通路に流入口および排出口を設け、流入口は外部からの受け入れ、排出口は槽内への流入口とし、通路を沈砂部とした上記の雨水貯留浸透施設である。
通路部を沈砂部とすることで施設内部には清浄な水を導入している。
本第3の発明は、上記1記載の貯留浸透施設において、前記通路の槽側の壁面に槽内点検用の孔を設けた上記１記載の雨水貯留浸透施設である。
【発明の効果】
【０００６】
本発明は、地下に設けた雨水などの貯留浸透施設を構成する貯留部材からなる貯留空間の側面下層部をコンクリートあるいは強度を有する繊維強化プラスチック製の通路を設けて槽側面にかかる水平土圧を受けたため、内部の貯留部材には直接高い水平土圧が掛からない。また通路を目的に応じ、沈砂部あるいは点検用通路とすることができる。
【発明を実施するための最良の形態】
【０００７】
以下本発明を図により詳細に説明する。
図1は、本発明の通路をもって施設に加わる水平土圧を受ける貯留槽もしくは浸透槽などの雨水貯留浸透施設の概念図である。図1ａは、Ａ−Ｂ線での槽の断面図であり、図1ｂは、平面図である。図に示すように、槽の下層部側面が通路となっている。
【０００８】
通路は水平土圧に耐えられるようにコンクリートあるいは強度を有する繊維強化プラスチックなどで製造される。通路の幅、高さは人が通れる程度であることが好ましい。また通路の基礎部分は施設の槽の基礎より深く設けることが好ましい。水は通路の一端に設けた導入口から導入し、槽を一周し図２に示す導入口手前の隔壁前に設けた受入口から槽内に流入する。槽を一周する間に水中に懸濁する砂泥は通路内に沈殿し、残りの清浄な水が槽内に流入する。通路内に溜まった砂泥は図４に示すように別途通路下部に設けた排出口から流し出しあるいはポンプなどで汲み出すことができる。
【０００９】
図３は、通路を点検用として使用する例の概念図である。通路の槽寄り側に適宜点検用の孔を設けたものである。
本願発明は雨水の貯留浸透施設に限らず、水を貯留あるいは浸透させる施設においても適用可能である。
貯留部材の種類によっては内部を見通すことのできないものもあり、この場合図７に示す貯留部材から適宜選択する。
【図面の簡単な説明】
【００１０】
【図１】本発明の槽下部側面に通路を設けた水平土圧軽減方法を示す概念図である。
【図２】本発明の通路を泥だめ部とする方法を示す概念図である。
【図３】本発明の通路を点検用とする例を示す概念図である。
【図４】槽下部に泥だめ部を設けた槽の概念図を示す。
【図５】通路に溜まった砂泥の排出孔を示す。
【図６】従来の雨水貯留浸透施設の概念図を示す。
【図７】貯留部材の例を示す。
【符号の説明】
【００１１】
１  通路
２  貯留部材
３  導入口
４  受入口
５  点検用孔
５  排出孔
【図１】
2007169938.tif 000003
【図２】
2007169938.tif 000004
【図３】
2007169938.tif 000005
【図４】
2007169938.tif 000006
【図５】
2007169938.tif 000007
【図６】
2007169938.tif 000008
【図７】
2007169938.tif 000009